(57)【要約】【課題】  簡便に複写機能を有する書類を作成することができる印刷装置を提供する。【解決手段】  レーザプリント部２０１は、製本処理後に複数ページから構成される印刷物となる一つ又は複数の印刷媒体に対して、文字及び画像を印刷する。塗布部２０２は、顕色剤を含む第一の液体を貯蔵する第一の貯蔵手段と、発色剤を含む第二の液体を貯蔵する第二の貯蔵手段と、印刷媒体上の所定の範囲であって、印刷物となった場合に合わさる２面に対して第一の液体と第二の液体をそれぞれ対と成るように塗布する。【選択図】  図２
2006103214.tif 000002
【特許請求の範囲】
【請求項１】
製本処理後に複数ページから構成される印刷物となる一つ又は複数の印刷媒体に対して、文字又は画像の少なくとも何れか一つを含む帳票を印刷可能な印刷装置であって、
顕色剤又は発色剤の一方を含む第一の液体を貯蔵する第一の貯蔵手段と、
顕色剤又は発色剤の他方を含む第二の液体を貯蔵する第二の貯蔵手段と、
前記印刷媒体上の所定の範囲であって、前記印刷物となった場合に合わさる２面に対して前記第一の液体と前記第二の液体をそれぞれ対と成るように塗布する塗布手段と
を具備し、前記印刷された帳票は前記塗布手段により塗布された顕色剤及び発色剤によって複写機能を備えることを特徴とする印刷装置。
【請求項２】
前記印刷媒体を２つ折りにして前記印刷物となるよう製本処理を行う製本処理手段を更に具備することを特徴とする請求項１記載の印刷装置。
【請求項３】
ネットワークを介して利用者端末と通信を行う通信手段と、
前記利用者端末からの要求に応じて、前記印刷媒体上における前記第一の液体と前記第二の液体の塗布範囲を指定する指定手段及び前記印刷媒体上における文字や画像の配置を指定するレイアウト手段を含むレイアウト画面を提供するレイアウト画面提供手段と
を更に具備し、
前記塗布手段は、前記指定手段により指定された前記塗布範囲に基づいて前記第一の液体と前記第二の液体を塗布することを特徴とする請求項１又は２に記載の印刷装置。
【請求項４】
前記塗布範囲及び文字や画像の配置情報を含む印刷レイアウトに関する情報である印刷レイアウト情報を格納する印刷レイアウト格納手段と、
前記通信手段を介して前記利用者端末より前記印刷レイアウトの変更指示を示す情報である編集情報を受信する受信手段と
を更に具備することを特徴とする請求項３に記載の印刷装置。
【請求項５】
前記指定手段は、利用者から前記第一の液体を塗布する第一の塗布範囲が指定された場合に、前記第１の塗布範囲に対応する位置に前記第二の液体を塗布する第二の塗布範囲を設定することを特徴とする請求項３又は４に記載の印刷装置。
【請求項６】
前記第一の液体及び前記第二の液体は、前記印刷媒体上により丈夫に付着するためのバインダを更に含むことを特徴とする請求項１乃至５のいずれか１項に記載の印刷装置。
【請求項７】
少なくとも使用する印刷レイアウトを特定する情報と帳票の文字データを含む帳票情報記憶手段を更に備えることを特徴とする請求項１乃至６のいずれか１項に記載の印刷装置。
【請求項８】
前記帳票は宅配便用の伝票であり、前記文字データは荷送人の住所・氏名・電話番号を少なくとも含むことを特徴とする請求項７に記載の印刷装置。
【請求項９】
前記塗布手段は、前記印刷媒体の表面用と裏面用の２つを具備することを特徴とする請求項１乃至８のいずれか１項に記載の印刷装置。
【請求項１０】
前記塗布手段は前記印刷媒体の幅と略同一幅の第１のローラーと、駆動軸に対して幅５ミリ幅乃至２０ミリ幅の小幅ローラーを少なくとも２つ前記印刷媒体の幅と略同一幅の間隔で備える第２のローラーとを具備し、
前記第２のローラーは、前記印刷媒体の幅の変化に応じて、前記駆動軸の長手方向における前記小幅ローラーの間隔を変更可能であることを特徴とする請求項１乃至９のいずれか１項に記載の印刷装置。
【請求項１１】
前記印刷媒体に対して、文字及び画像を印刷処理する印刷方式は、インクジェット方式又はレーザビーム方式であることを特徴とする請求項１乃至１０のいずれか１項に記載の印刷装置。
【発明の詳細な説明】
【技術分野】
【０００１】
本発明は、印刷装置に関するものである。
【背景技術】
【０００２】
従来の複写機能を有する用紙に関する技術として、例えば、領収用紙の２つの折り畳み箇所を折り畳むことにより処理票印刷用紙の裏面と本証印刷用紙の表面が接した状態で処理票印刷用紙の表面側から記入した文字が本証印刷用紙の表面に印字されるように処理票印刷用紙の裏面及び本証印刷用紙の表面に設けられた表面処理部からなる領収書用紙、領収書管理装置、領収書管理方法が開示されている（例えば、特許文献１参照。）。
【０００３】
【特許文献１】特開２００４−５０６９２号公報
【発明の開示】
【発明が解決しようとする課題】
【０００４】
しかし上記の領収用紙のようなノンカーボン用紙の印刷は、特定の印刷工場でしか対応できず、注文から納品までのリードタイムは長期間（約１ヶ月）を要するという問題がある。さらに一括で大量印刷するため、帳票レイアウト変更時の廃棄ロス金額が大きくなるという問題がある。また、大量注文を前提にしているため、一部の記載内容を変更する可変印刷への対応が困難であるという問題がある。例えば支店名称、担当営業の氏名等を個別に印刷するのが困難であるという問題がある。
その為、ドットインパクトプリンタと感圧紙の組合せが今も用いられるが、ドットインパクトプリンタは動作時の騒音が大きいという問題がある。
【０００５】
本発明は、上述した事情を考慮してなされたもので、簡便に複写機能を有する書類を作成することができる印刷装置を提供することを目的とする。
【課題を解決するための手段】
【０００６】
この発明は、上述した課題を解決すべくなされたもので、本発明による印刷装置においては、製本処理後に複数ページから構成される印刷物となる一つ又は複数の印刷媒体に対して、文字及び画像を印刷可能な印刷装置であって、顕色剤又は発色剤の一方を含む第一の液体を貯蔵する第一の貯蔵手段と、顕色剤又は発色剤の他方を含む第二の液体を貯蔵する第二の貯蔵手段と、印刷媒体上の所定の範囲であって、印刷物となった場合に合わさる２面に対して第一の液体と第二の液体をそれぞれ対と成るように塗布する塗布手段とを具備することを特徴とする。
【発明の効果】
【０００７】
本発明の印刷装置は、簡便に複写機能を有する書類を作成することができる。特にいわゆるノンカーボン複写等の筆圧で複写可能な複写可能部分を含む帳票において、文字や画像の印刷レイアウトや複写可能部分のレイアウトを自在に変更して、いわゆるオンデマンドで帳票印刷を行うことが出来る。これによって例えばノンカーボン複写部分を含む伝票用紙の廃棄ロスを防止し、又多様なノンカーボン複写部分を含む伝票を簡単に利用することが可能になる。
【発明を実施するための最良の形態】
【０００８】
以下、図面を用いて本発明の実施形態について説明する。
［第１の実施形態］
本発明の第１の実施形態における印刷装置としてＭＦＰ（マルチファンクションペリフェラル）を含む印刷システムであって、複写機能を有する伝票（申込書）を印刷する印刷システムについて説明する。
【０００９】
図１は、本発明の第１の実施形態における印刷装置（ＭＦＰ）を含む印刷システムのシステム構成を示す図である。図１に示すように、ＭＦＰ１０１、パソコン１０２、及び携帯端末１０３は互いにネットワーク１００を介して接続されている。ＭＦＰ１０１の詳細については図２で説明する。又、パソコン１０２の詳細については図３で説明する。携帯端末１０３の詳細については図１５で説明する。ネットワーク１００は典型的にはＬＡＮ（無線又は有線のローカルエリアネットワーク）であるが、専用デジタル回線やＡＴＭ等でもよく、データ通信が可能であれば良い。
【００１０】
次に、図１に示したＭＦＰ１０１のハードウェア構成について説明する。
図２は、図１に示したＭＦＰ１０１のハードウェア構成を示す概念図である。図２に示すように、ＭＦＰ１０１は、レーザプリント部２０１、塗布部２０２、スキャン部２０３、製本・ステープル部２０４、ＦＡＸ部２０５、制御部２０６、記憶部２０７、及びＬＡＮ  Ｉ／Ｆ部２０８から構成されている。また、ＭＦＰ１０１は、図２に示していないが、液晶表示・操作パネル、電源部、及び用紙格納部を更に備える構成である。
【００１１】
レーザプリント部２０１は、いわゆるレーザプリンタの主要部分でありトナーカートリッジや定着ドラムを含む構成である。塗布部２０２は、印刷用紙に発色剤を内包するマイクロカプセルと溶媒を混合した第１の塗布液と、顕色剤を内包するマイクロカプセルと溶媒を混合した第２の塗布液とをそれぞれ塗布する機能を備えている。塗布部２０２の詳細は後で図６乃至図９で詳細に説明する。
【００１２】
また、以下の説明において、発色剤を内包するマイクロカプセルと溶媒を混合した第１の塗布液を単に発色剤と呼称し、顕色剤を内包するマイクロカプセルと溶媒を混合した第２の塗布液を単に顕色剤とする。尚、本実施形態においては、第１の塗布液及び第２の塗布液ともにマイクロカプセルを有するが、この限りではなく、第１の塗布液又は第２の塗布液のどちらか一方において発色剤又は顕色剤をマイクロカプセルに内包していればよく、他方においては、発色剤又は顕色剤と溶媒を混合した液でよい。また、溶媒とは、例えば水とアルコールの混合液であり、更に、印刷用紙に塗布後に剥げ落ちたりしないよう機能する結合剤や接着剤などのバインダを含んで好適である。このバインダにより、発色剤や顕色剤がより丈夫に印刷用紙に付着する。
【００１３】
スキャン部２０３は、白色光を原稿へ照射する投射部及び投射光の反射光を記録するＣＣＤ（Ｃｈａｒｇｅ  Ｃｏｕｐｌｅｄ  Ｄｅｖｉｃｅ）によって原稿の画像を読み取る機能を備えており、いわゆるスキャナの主要部分と同様の構成を備えている。製本・ステープル部２０４は、複数の用紙をソートしたり、ソート後の用紙を２つ折りにしてステープルで綴じたりする機能を備えている。レーザプリント部２０１や塗布部２０２で印刷処理された用紙（原稿）は、この製本・ステープル部２０４を通って排出される。
【００１４】
ＦＡＸ部２０５は、ファクシミリの主要部分であり電話回線を通じて所定のフォーマットの画像情報を送受信する機能を備えている。制御部２０６は、ＭＦＰ２００の各部を制御する機能を備えており、ＣＰＵ（中央処理装置）２０９を含んでいる。記憶部２０７は、ハードウェアの制御プログラムを記憶しているＲＯＭ（Ｒｅａｄ  Ｏｎｌｙ  Ｍｅｍｏｒｙ）や主にＣＰＵ２０９がプログラム実行中にワークエリアとして利用するＲＡＭ（Ｒａｎｄｏｍ  Ａｃｃｅｓｓ  Ｍｅｍｏｒｙ）や、主にアプリケーションプログラムや帳票レイアウトを記憶するハードディスクを備えている。
【００１５】
尚、制御部２０６と記憶部２０７を、フラッシュメモリ及びＲＡＭとＣＰＵ及び各種インタフェース回路を内蔵するワンチップマイコンで構成しても良く、ワンチップマイコンに加えて、ハードディスクやＲＡＭやＲＯＭの少なくとも１つを加えた構成としても良い。更にワンチップマイコンの代りにワンチップマイコンに周辺のアナログ回路用のオペアンプや周辺のデジタル回路用のフリップフロップを含んだいわゆるＳＯＣ（システムオンチップ）を用いても良いし、専用設計のＩＣであるいわゆるＡＳＩＣを用いても良い。ＬＡＮ  Ｉ／Ｆ部２０８はネットワーク１００を介してデータを送受信する機能を備えており、具体的にはいわゆるＮＩＣ（ＬＡＮアダプタ）により構成される。
【００１６】
次に、図１に示したパソコン１０２のハードウェア構成の一例を説明する。
図３は、図１に示したパソコン１０２のハードウェア構成の一例を示す図である。図３に示すように、パソコン１０２は、システムバス２０、ＣＰＵ２１、ＲＡＭ２２、ＲＯＭ２３、ＬＡＮアダプタ２４、ビデオアダプタ２５、キーボード２６、マウス２７、ハードディスク２８、及びＣＤ−ＲＯＭドライブ２９から構成され、一般的なパソコンと同様の構成である。
【００１７】
次に、図１に示した印刷システムにおいて、複写部分（ノンカーボン部分）を含む伝票（申込書）の印刷レイアウトの編集・登録処理を行う場合について説明する。
図４は、図１に示した印刷システムにおいて、ノンカーボン部分を含む伝票の印刷レイアウトの編集・登録処理を示すフローチャートである。図４に示すステップＳ４０１乃至ステップＳ４０３の処理は、パソコン１０２のＣＰＵ２１の制御の下で処理が実行される。また、ステップＳ４２１乃至ステップＳ４３０の処理は、ＭＦＰ１０１のＣＰＵ２０９の制御の下で処理が実行される。
【００１８】
但し、図４のフローチャートが実行される前提として、例えば、以下の処理が既に終了しているとする。まず、パソコン１０２は、ＭＦＰ１０１の印刷レイアウト編集用のＵＲＬ（Ｕｎｉｆｏｒｍ  Ｒｅｓｏｕｒｃｅ  Ｌｏｃａｔｏｒ）にアクセスすることで、帳票レイアウト一覧の画面情報をＭＦＰ１０１から受信している。利用者がこの画面情報において特定の帳票レイアウトを選択すると、パソコン１０２は、特定の帳票レイアウトを選択したことを示す選択情報をＭＦＰ１０１に送信する。これにより、ＭＦＰ１０１は、折り返し、選択された帳票レイアウトを編集可能な画面情報（以下、レイアウト画面情報とする）をパソコン１０２へ送信する。これにより、パソコン１０２は、レイアウト画面情報を受信する。
【００１９】
尚、選択された帳票レイアウト情報は、ＭＦＰ１０１の記憶部２０７のハードディスクからＲＡＭに読み出されて記憶されている。この帳票レイアウト情報には罫線や網掛けの情報や、帳票名等の印刷位置が固定された文字データや、帳票毎の可変文字印刷用フィールドの位置及び文字数文字タイプを含んでいる。また、パソコン１０２から印刷レイアウト編集用のＵＲＬを指定する情報をＭＦＰ１０１へ送信した場合に、ＭＦＰ１０１は、折り返しユーザＩＤ及びパスワードをパソコン１０２に要求する画面情報を送信しても良い。
【００２０】
まず、ステップＳ４０１において、パソコン１０２は、受信したレイアウト画面情報により、図９に示す帳票レイアウト編集画面９０１を表示画面に表示する。図９は、本実施形態においてパソコン１０２に表示される帳票レイアウト編集画面例を示す図である。図９に示すように、帳票レイアウト編集画面９０１は、眼鏡の申込書の帳票を編集する画面例である。帳票レイアウト編集画面９０１においては、上ページと中ページから構成される２枚組の帳票の表裏両面（合計４面）について文字の入力や、発色剤や顕色剤の塗布範囲の指定を行う画面例である。具体的には、帳票レイアウト編集画面９０１には、上ページの表面のレイアウトを編集する上表９１０、上ページの裏面のレイアウトを編集する上裏９１２、中ページの表面のレイアウトを編集する中表９１４、中ページ裏面のレイアウトを編集する中裏９１６が表示されている。また、上裏９１２には発色剤を含む第１の塗布液の塗布範囲９１３が示されており、中表９１４には、それに対応する位置（重なり合う位置）に顕色剤を含む第２の塗布液の塗布範囲９１５が示されている。尚、塗布範囲９１５の周囲には、上表９１０の氏名記入欄９１１と同様に氏名記入欄としての枠が設けられている。
【００２１】
また、帳票レイアウト編集画面９０１は、フォーム選択ボタン９０２、塗布範囲指定ボタン９０３、印刷実行ボタン９０４、次画面ボタン９０５、登録ボタン９０６、及びキャンセルボタン９０７などの種々の機能ボタンを備える。フォーム選択ボタン９０２は、利用者が帳票のフォームを選択したい場合に押下するボタンである。塗布範囲指定ボタン９０３は、上述した塗布範囲９１３や９１４の指定を行う際に押下するボタンである。印刷実行ボタン９０４は、帳票レイアウト編集画面９０１を終了して印刷処理へと移行したい場合に押下するボタンである。次画面ボタン９０５は、帳票に更に３枚目、４枚目のページがある場合に、その３枚目、４枚目の表裏両面の編集画面へと移行するためのボタンである。登録ボタン９０６は、編集結果をＭＦＰ１０１に登録したい場合に押下するボタンである。キャンセルボタン９０７は、編集処理を中止したい場合に押下するボタンである。
【００２２】
次に、図４の処理において所定の時間間隔でＣＰＵ２１は、ステップＳ４０２に処理を進める。ステップＳ４０２においては、パソコン１０２は、利用者が帳票レイアウト編集画面９０１に対して編集操作（テキストの入力、各機能ボタンの押下）を行ったか否かを判断する。ここで、編集操作がなかったと判断した場合（ステップＳ４０２のＮｏ）には、パソコン１０２はステップＳ４０１に戻る。また、編集操作があったと判断された場合（ステップＳ４０２のＹｅｓ）には、パソコン１０２は、ステップＳ４０３に進み、編集情報をＭＦＰ１０１に送信する。ここで、編集情報とは、特定の機能ボタンが押下されたことを意味する情報や、入力又は削除されたテキスト及びその位置を意味する情報である。次に、ステップＳ４０４に進み、パソコン１０２は、編集情報を送信したＭＦＰ１０１からのレイアウト画面情報の受信待ち状態となる。ステップＳ４０４において、パソコン１０２は、ＭＦＰ１０１からレイアウト画面情報を受信した場合には、ステップＳ４０１に戻る。
【００２３】
次に、上述したパソコン１０２におけるステップＳ４０３の処理に応じてＭＦＰ１０１で行われる処理について説明する。まず、ステップＳ４２１において、ＭＦＰ１０１は、編集情報を受信して、記憶部２０７のＲＡＭに記憶する。本実施形態の編集情報としては、文字の変更などの通常の編集情報の他に、ノンカーボン用液体（第１及び第２の塗布液）の塗布範囲を指定する塗布範囲指定ボタン９０３が押下され、塗布範囲が指定された場合の編集情報（以下、ノンカーボン範囲指定情報とする）、印刷実行ボタン９０４やキャンセルボタン９０７が押下された場合の編集情報（以下、終了情報とする）、及び登録ボタン９０５が押下された場合の編集情報（以下、登録情報とする）のいずれかである。
【００２４】
次に、ステップＳ４２２において、制御部２０６は、記憶部２０７に記憶した編集情報に対してノンカーボン範囲指定情報であるか否かの判定を行う。ここで、編集情報がノンカーボン範囲指定情報であると判定した場合（ステップＳ４２２のＹｅｓ）には、制御部２０６は、ステップＳ４２３へ進み、記憶部２０７のＲＡＭに記録している帳票レイアウト情報を仮更新する処理を行う。尚、仮更新とは編集中の更新であることを示し、後述するステップＳ４２５のＹｅｓで編集処理が終了した時点で更新データが確定する。次に、ステップＳ４２４において、制御部２０６は、更新された帳票レイアウト情報に基づいてレイアウト画面情報を生成して、パソコン１０２に送信し、ステップＳ４２１に戻り、ＭＦＰ１０１は編集情報受信待ち状態になる。また、パソコン１０２においては、レイアウト画面情報を受信したと判断して（ステップＳ４０４のＹｅｓ）、ステップＳ４０１に戻る。
【００２５】
また、ステップＳ４２３において、ノンカーボン範囲指定情報でないと判定した場合（ステップＳ４２２のＮｏ）には、制御部２０６は、ステップＳ４２５に進み、終了指示を含む編集情報（終了情報）であるか否かを判定する。ここで、終了指示を含むと判定した場合（ステップＳ４２５のＹｅｓ）には、制御部２０６は、編集処理を終了する。この際、印刷実行ボタン９０４を押下したことによる終了指示であれば、後述する図５に示す印刷処理を行う。
【００２６】
また、ステップＳ４２５で終了指示ではないと判定した場合は、ステップＳ４２６へ進み、制御部２０６は、編集情報が登録指示を含む情報（登録情報）であるか否かを判定する。ここで、登録情報であると判定した場合は、ステップＳ４２７の処理へ進み、制御部２０６は、登録指示された編集後の記憶部２０７のＲＡＭに記憶されている帳票レイアウト情報を、記憶部２０７のハードディスクに上書する。次に、ステップＳ４２８において、制御部２０６は、帳票レイアウトの登録が完了した旨のメッセージをパソコン１０２に表示させるための画面情報を生成して、パソコン１０２へ送信する。これにより、パソコン１０２において、ステップＳ４０４の受信処理及びステップＳ４０１のレイアウト画面の表示処理が行われる。また、ＭＦＰ１０１は、ステップＳ４２１に戻り、編集情報受信待ち状態になる。
【００２７】
ステップＳ４２６において登録情報ではないと判定した場合は、ステップＳ４２９の処理へ進み、制御部２０６は、記憶部２０７のＲＡＭの帳票レイアウト情報を更新する。即ち、ノーカーボンの範囲指定、終了情報、及び登録情報ではない編集情報は、例えばテキストの挿入や削除等を指示する編集情報と判断して、制御部２０６は、その編集情報を反映した帳票レイアウト情報に更新する処理を行う。
【００２８】
次に、ステップＳ４３０において、制御部２０６は、更新された帳票レイアウト情報に基づいてレイアウト画面情報を生成して、パソコン１０２へ送信する。これにより、パソコン１０２は、ステップＳ４０４の受信処理を経て、ステップＳ４０１に戻る。また、ＭＦＰ１０１は、ステップＳ４２１に戻り編集情報受信待ち状態になる。尚、本実施形態のステップＳ４０１では、所定の時間間隔でＣＰＵ２１は処理をステップＳ４０２に進めているが、ボタンの押下やキーボードからの入力等で割り込みを発生させて、割り込み発生時に処理をステップＳ４０２に進めても良い。
【００２９】
以上に示したように、ＭＦＰ１０１は、利用者の操作するパソコン１０２に、複写部分（ノンカーボン部分）を任意に設定可能な帳票レイアウト編集画面９０１を提供することができる。これにより、利用者は、パソコン１０２において、帳票のレイアウトを作成すると共に、複写機能を付与したいノンカーボン部分を任意に指定することができる。また、図４の処理を行うことで、ＭＦＰ１０１は、利用者による編集結果を反映した帳票レイアウト情報を記憶部２０７に格納する。
【００３０】
次に、図１に示した印刷システムにおいて、複写部分（ノンカーボン部分）を含む伝票（申込書）の印刷処理を行う場合について説明する。
図５は、図１に示した印刷システムにおいて、ノンカーボン部分を含む伝票の印刷処理を示すフローチャートである。図５において、ステップＳ５０１乃至ステップＳ５０５は、パソコン１０２のＣＰＵ２１の制御の下で処理が実行される。また、ステップＳ５２１乃至ステップＳ５２７は、ＭＦＰ１０１のＣＰＵ２０９の制御の下で処理が実行される。
【００３１】
また、図５のフローチャートの処理が実行される前提として、パソコン１０２では複写部分を含む伝票を印刷可能なアプリケーションプログラムが実行されており、アプリケーションプログラムで印刷処理が選択され、プリンタドライバが起動されたものとする。具体的には、図４の処理で説明したように、パソコン１０２において、利用者が帳票レイアウト編集画面９０１の印刷実行ボタン９０４を押下することで、プリンタドライバが起動される。
【００３２】
ステップＳ５０１において、パソコン１０２は、プリンタドライバの画面を表示画面に表示する。次に、所定の時間間隔でＣＰＵ２１は処理をステップＳ５０２に進める。ステップＳ５０２において、パソコン１０２は、キャンセルボタンが押下されたか否かを判定する。ここで、押下されたと判定した場合（ステップＳ５０２のＹｅｓ）には、パソコン１０２は、印刷処理を終了する。また、押下されていないと判定した場合（ステップＳ５０２のＮｏ）には、パソコン１０２はステップＳ５０３の処理へ進み、印刷ボタンが押下されたか否かを判定する（ステップＳ５０３）。
【００３３】
ここで、印刷ボタンが押下されたと判定した場合（ステップＳ５０３のＹｅｓ）には、パソコン１０２は、ステップＳ５０４へ進む。また、印刷ボタンが押下されていないと判定した場合（ステップＳ５０３のＮｏ）には、パソコン１０２は、ステップＳ５０１の処理へ戻る。
【００３４】
ステップＳ５０４においては、パソコン１０２は、上記アプリケーションプログラムで作成したデータとプリンタドライバ画面での設定に基いて印刷設定データを含む印刷データを生成してハードディスク２８に記憶する。次に、ステップＳ５０５において、パソコン１０２は、印刷データをＭＦＰ１０１に送信する。これにより、ステップＳ５２１において、ＭＦＰ１０１は、印刷データを受信して記憶部２０７のハードディスクに記憶する。
【００３５】
次に、ステップＳ５２２において、ＭＦＰ１０１のレーザプリント部２０１は、文字及び画像部分を用紙に印刷する。両面印刷や製本印刷が指定された場合は、その指定に応じて印刷を行う。
【００３６】
次に、ステップＳ５２３において、ＭＦＰ１０１は、ノンカーボン用の液体の塗布が指定されているか否かを判定する。具体的には、ＭＦＰ１０１は、図４の処理で記憶部２０７に登録された帳票レイアウト情報を参照してノンカーボン部分の有無を判定する。ここで、ノンカーボン用の液体の塗布指定があると判断した場合（ステップＳ５２３のＹｅｓ）には、ＭＦＰ１０１は、ステップＳ５２４の処理へ進む。また、ノンカーボン用の液体の塗布指定が無いと判断した場合（ステップＳ５２３のＮｏ）には、ＭＦＰ１０１は、ステップＳ５２５の処理へ戻る。
【００３７】
ステップＳ５２４においては、ＭＦＰ１０１の塗布部２０２は、ノンカーボン用の第１の塗布液及び第２の塗布液を、用紙の指定された塗布範囲に塗布する処理を行い、ステップＳ５２５へ進む。
【００３８】
ステップＳ５２５において、ＭＦＰ１０１は、製本印刷が指定されたか否かを判定する。ここで製本印刷が指定されたと判定した場合（ステップＳ５２５のＹｅｓ）には、ＭＦＰ１０１は、ステップＳ５２６へ進み、製本ステープル部２０４により用紙に対するステープル処理や紙折り処理を行う。また、製本印刷がしていされていないと判定した場合（ステップＳ５２５のＮｏ）には、ＭＦＰ１０１は、ステップＳ５２７へ進み、用紙を外部に排出して、印刷処理を終了する。
【００３９】
以上の処理に示すように、ＭＦＰ１０１は、塗布部２０２を備えることで、用紙に対してノンカーボン部分となるよう、発色剤を含む第１の塗布液や顕色剤を含む第２の塗布液を塗布することができる。これにより、ＭＦＰ１０１は、普通紙を利用してノンカーボン部分を含む帳票の印刷が可能であり、更に製本・ステープル部２０４を利用することで印刷した各帳票をまとめる製本印刷が可能になる。
【００４０】
また、ＭＦＰ１０１は、複写部分（ノンカーボン部分）を含む伝票（申込書）の印刷レイアウトの編集・登録サービスや印刷サービスを実現する帳票レイアウト編集画面９０１をブラウザ閲覧可能な情報形式でパソコン１０２に提供する。これにより、パソコン１０２側ではいわゆるブラウザをインストールしておくだけで、ＭＦＰ１０１に記憶されている帳票レイアウトを選択して、レイアウトを編集し、ノンカーボンの塗布範囲を指定し、印刷指示を行うなどの処理をＭＦＰ１０１へ要求／指示できる。
【００４１】
以上に説明したように、本実施形態のＭＦＰ１０１は、プレプリント紙（ノンカーボン用紙）をストックしておかなくても、適宜既存のフォームを流用して普通紙にノンカーボン帳票を印刷することができる。特に様々な種類のノンカーボン帳票を使用する業務における帳票作成や、契約書等で署名する人数が変わることに応じてノンカーボン部分の大きさを変える帳票の作成に対して顕著な効果を奏する。
【００４２】
次に、図２に示した塗布部２０２の詳細な構成例について説明する。
図６は、図２に示した塗布部２０２の詳細な構成例を示す側面図である。また、図７は、図２に示した塗布部２０２の詳細な構成例を示す上面図である。図２のレーザプリント部２０１で文字や図形を印刷された用紙が、塗布部２２に入力される。具体的には、図６の左上部分から右方向に送出された印刷用紙はローラーＢ６０３とローラーＢ６０４に挟みこまれて右方向に送られ、更にローラーＢ６０４とローラー６１３と用紙ガイド６３０によって向きが反対側（向かって左方向）に送出され、ローラー６１４と６１５に挟みこまれ、用紙ガイド６１１と６１２に導かれて左方向にフィードされ、裏面用塗布ヘッド６０１で指定位置に第１の塗布液又は第２の塗布液（ノンカーボン用液体）が塗布される。
【００４３】
裏面の所定位置に第１の塗布液が塗布された印刷用紙は、ローラーＡ６０５とローラーＢ６０６に挟みこまれて更に左方向に送られ、ローラーＢ６０６とローラー６１８乃至６２０によって向きを反対側（向かって右方向）にして送出される。次に、ローラー６１６と６１７に挟みこまれて右方向にフィードされ、表面用塗布ヘッド６０２で指定位置に第１の塗布液又は第２の塗布液が塗布される。右方向への移動する間、印刷用紙は、ローラー６２１乃至６２７によってガイドされる。裏面用塗布ヘッド６０１及び表面用塗布ヘッド６０２は、不図示のベルトの駆動によって、摺動ガイド部６０９及び６１０に沿って水平方向（図６において手前又は奥へ向かう方向）に動くことができる。
【００４４】
表面の所定位置にノンカーボン用液体が塗布された印刷用紙はローラーＡ６０７とローラーＡ６０８に挟みこまれて右方向に送られ、製本・ステープル部２０４を通って外部に排出される。
【００４５】
ここでローラーＡ６０５と６０７、６０８及びローラー６１６乃至６２７は、図７に示すように駆動軸に幅が５ミリ乃至２０ミリ程度の３個のゴムローラーを有するローラーであって、両端のゴムローラーは用紙の端に位置するローラーである。ローラーＢ６０３、６０４、６０６は、幅が用紙幅＋１０ミリ程度のゴムローラーである。これは、通常用紙の端の５ミリ乃至１０程度の範囲にはノンカーボン用の液体を塗布する必要がないので、このような構成とすることによって、塗布面と各ローラーが接触せずに用紙を外部に排紙することができるので塗布されたノンカーボン用液体の乾燥時間を確保しつつ、印刷速度の低下を防止することができる。なお、用紙表面及び裏面の両方にノンカーボン用の液体を塗布しない場合には、各ローラーの回転速度を高速に切り替えて速やかに排紙するよう構成しても良い。また、送風口６３１からは表面用塗布ヘッド６０２により塗布された第２の塗布液を乾燥させるための空気を印刷用紙に送風する。
【００４６】
また、ローラー６１６及びローラー６１９は駆動軸と３個のゴムローラーから構成され、３つのゴムローラーのうち中央のゴムローラーは駆動軸に固定されているが、両端のゴムローラーは、軸の回転方向では駆動軸と一体となっているが、駆動軸の長手方向には動かすことができるので、用紙幅に合わせて用紙の端部をフィードすることができる。
【００４７】
次に、図６に示した裏面用塗布ヘッド６０１及び表面用塗布ヘッド６０２の構成例について説明する。図８（ａ）は、図６に示した裏面用塗布ヘッド６０１及び表面用塗布ヘッド６０２の構成例の側面図を示す図である。図８（ｂ）は、図６に示した裏面用塗布ヘッド６０１及び表面用塗布ヘッド６０２（以下、単に塗布ヘッド６０１、６０２とする）の構成例の上面図を示す図である。図８（ａ）、（ｂ）に示すように、塗布ヘッド６０１、６０２は、第１の塗布液が装填されている発色剤タンクと第２の塗布液が装填されている顕色剤タンクとを備え、それぞれのタンクに下に第１の塗布液や第２の塗布液を吐出するノズルが設けられている。
【００４８】
次に、ノンカーボン部分を有する帳票の出力例を示し説明する。
図１４は、本実施形態でのノンカーボン帳票の出力例を示す図である。図１４の出力例では、２枚の用紙を２つ折りにして製本印刷し合計８ページの帳票を出力する場合を示している。図１４の左上部分は製本後表紙及び裏表紙になる部分であり、左上部分の真中の実線は折り目を示している。図１４の左下部分は表紙及び裏表紙の裏面であり、図１４の右上部分は製本印刷時の中側の用紙の表であり、図１４の右下部分は中側の用紙の裏の印刷面を示している。
【００４９】
図１４に示すノンカーボン帳票の編集処理例を示すと、まず、第１の手順として左上部分の下側（表表紙）にノンカーボン用記入欄（署名欄）が設定されると、ＲＡＭのワークエリアにその設定が記憶される。次に、第２の手順として、制御部２０６は、表表紙にノンカーボン用署名欄が設定されたことを判定して、対応する各３ヶ所（合計６ヶ所）に同じサイズの顕色剤と発色剤の塗布範囲を設定する。
【００５０】
次に、右上部分の「コンタクトレンズ加工依頼書」では、個人情報が不要なので、第３の手順として、帳票印刷レイアウト画面で右下部分の下側の塗布箇所の削除指令が編集者のキーボード又はマウスの入力に基いて入力される。第４の手順として、入力に基いて制御部２０６のＣＰＵ２０９によってＲＡＭのワークエリアより対応する塗布範囲の設定が削除されると、残る塗布面は５箇所となる。第５の手順として、制御部２０６は、ＣＰＵ２０９によって削除された塗布範囲に対向する面を特定して、その面の塗布範囲の設定も削除する。具体的には、図１４の右下部分の下側の塗布箇所の削除に応じて対向する左下部分の上側の塗布面の設定を削除する。これにより、図１４に示すように、結局４箇所に顕色剤又は発色剤を塗布する塗布範囲が設定される。
【００５１】
中側の用紙の表面（８ページの帳票の３ページ目）に記入欄が設定された場合は、同様に対応する各２ヶ所（合計４ヶ所）に同じサイズの顕色剤と発色剤の塗布が設定される。更に３枚以上の用紙を用いた場合も同様の処理を行う。なお、ＭＦＰ１０１において、帳票の２つ折り部分の近くにミシン目を設ける機能を有すれば、製本後の帳票において各ページの切り離しが容易になる。
【００５２】
以上の編集処理によれば、本実施形態のＭＦＰ１０１は、複数ページから成る帳票において、１ページ目にノンカーボン用記入欄が設定されたことを判定して、他のページの対応する位置に同じサイズの顕色剤と発色剤の塗布範囲を対で設定することができる。これにより、ノンカーボン塗布位置の一方を指定すると、対応する位置（紙折り位置を基準にした対称位置）に他方の塗布位置が設定されるので位置指定が１回で済むという効果を奏する。
【００５３】
また、本実施形態のＭＦＰ１０１は、特定箇所の顕色剤の塗布範囲の設定が削除されると、対応する発色剤の塗布範囲の設定を自動で削除することができる。同様に、本実施形態のＭＦＰ１０１は、特定箇所の発色剤の塗布範囲の設定が削除されると、対応する顕色剤の塗布範囲の設定を削除することができる。このような処理を行うことで、ノンカーボン部分の設定を含む帳票編集を効率良く行うことができる環境を提供できるとともに、又ノンカーボン部分となる発色剤や顕色剤の塗布範囲の設定ミスを防止することができる。
【００５４】
本実施形態に用いる印刷用紙としては、ノンカーボン用液体の受容性に優れ、素早く乾燥状態にすることで機内汚れやオフセットを防ぐ用紙が好適である。
具体例としては、以下に示す要件を満たす用紙が好適である。
・サイズ性の低い用紙（坪量８１．４グラム以下の紙で４０秒以下）。
・填料（てんりょう）が多い用紙、顔料塗布された用紙、特にシリカ等の吸液性の高い填料及び顔料を使用した用紙。
・低密度の用紙（０．７ｇ／ｃｍ3以下）。
【００５５】
ここで、サイズ性とは、用紙の水浸透を防ぐ性質で、疎水性の物質を塗布して調節する。古くは万年筆での筆記性を上げるために考え出された。また、填料とは、紙の中に混ぜられている鉱物質の微粉末を意味する。また、顔料とは、填料とほぼ同じだが、用紙の表面に塗布している微粉末を指す場合が多い。また、ここでは鉱物質の粉末が水分を吸収することを期待した。また、顔料によって裏抜け防止効果がある。また、低密度とは、密度の低い用紙は表面がラフで穴が多くあり、その間に液体を吸い込むことを意味する。さらに寸法安定性に優れている用紙であることも重要である。また、液体（水）に触れて紙が波打ったり、局所的にぼこついたりする現象（コックリング）を少なく押さえた用紙が好ましい。
【００５６】
また、印刷用紙は非塗工紙（塗っていない紙、いわゆる普通紙）に限定されず、再生紙でも構わない。又耐水紙やフィルム等の特殊メディアも上記に準ずる特性を持つことで使用可能である。
【００５７】
［第２の実施形態］
本発明を、コンビニエンスストア（以下、コンビニとする）での宅配便伝票の作成・保管システムに適用した場合を、第２の実施形態として説明する。具体的には、例えば、事前に自宅ＰＣから住所・氏名・電話番号等を入力（又はコンビニに設置された専用端末から入力）してコンビニで伝票を印刷し、２回目からは携帯端末１０３の認証により、この伝票を呼び出して簡単に伝票を作成できる印刷システムについて説明する。尚、専用端末とは、例えばパソコン又はキオスク端末などである。また、携帯端末１０３は、例えば携帯電話、ノートパソコン、ＰＤＡなどのモバイル端末である。特に携帯電話にＩＣチップを組込んだもの（例えば登録商標の「フェリカ」等）を用いると好適である。
【００５８】
第２の実施形態における印刷システムは、図１のシステム構成図において、ＭＦＰ１０１の代りに、図１０に示すようなネットワーク対応のインクジェット式の印刷装置１２００を設定して、宅配便等の伝票の保管及び印刷を行うシステムである。図１０に示すように、印刷装置１２００は、ノンカーボン用液体の塗布を行う塗布部１２０２を有するインクジェットプリント部１２０１、用紙の排出を行う用紙排出部１２０４、印刷装置１２００内の各部やデータの流れを制御する制御部１２０６、記憶部１２０７、及びＬＡＮ  Ｉ／Ｆ部１２０８から構成されている。尚、図１０の制御部１２０６、記憶部１２０７、及びＬＡＮ  Ｉ／Ｆ部１２０８は、図２に示した制御部２０６、記憶部２０７、及びＬＡＮ  Ｉ／Ｆ部２０８と同様の機能を有する。記憶部２０７のハードディスクには後述する伝票用データが記憶されている。
【００５９】
図１５は、図１に示した携帯端末１０３の詳細なハードウェア構成例を示す図である。図１５に示すように、携帯端末１０３は、システムバス３０、ＣＰＵ３１、ＲＡＭ３２、ＲＯＭ３３、通信アダプタ３４、液晶表示部３５、及び操作ボタン３６から構成され、例えば携帯電話などと同様の構成である。なお、ＩＣチップについては図１５では省略されているが、バス３０にＩＣチップを接続しても良いし、ＲＡＭ３２の一部をＩＣチップの代替として用いても良い（この場合のＲＡＭ３２は不揮発性とし、認証用データは暗号化する）。
【００６０】
例えば、コンビニに印刷装置１２００と専用端末（不図示）を置き、専用端末の記憶部に登録用アプリケーションを記憶しておき、専用端末から印刷装置１２００に、伝票用データとして自宅住所と自宅電話番号、送付先住所・氏名・電話番号を所定数登録し、記憶部１２０７のハードディスクに記憶する。記憶した住所等のデータは次回以降携帯端末１０３で認証してから参照して、必要な箇所を修正した上で宅配便伝票を印刷する。認証は具体的には携帯端末１０３が携帯電話であるならば、電話番号をｉＲＤＡで印刷装置１２００に送信することでパスワードの代用とするが、携帯電話本体のＩＣチップのデータやＩＣカード機能を備えたクレジットカードやＩＣカード機能を備えたプリペイドカード等を用いて認証及び支払いを行っても良い。なお、専用端末を用いず、印刷装置１２００の液晶操作画面から文字入力を可能にして伝票用データを入力／修正するよう構成しても良い。
【００６１】
このように構成することで、専用伝票を用意しなくても普通紙でノンカーボンの宅配便伝票を印刷することが可能となる。さらに荷送人の住所や氏名、電話番号を予め印刷できるので、顧客にとって非常に便宜である。又、コンビニエンスストア側にとっても、伝票の記入のために長時間カウンタを占領されることがなくなり、待ち行列の短縮を期待できる。
【００６２】
図１１は、図１０に示した印刷装置１２００の塗布ヘッドの側面図例及び上面図例を示す図である。図１１に示すように、ＣＹＭＫの各色インクタンクと、発色剤タンク及び顕色剤タンクを備えている。このような塗布ヘッドを２個備えることにより用紙を一方向に搬送する形式で両面印刷を実現できる。
【００６３】
［第３の実施形態］
本発明を、第２の実施形態と同様に宅配便伝票の作成・保管システムに適用した場合であって、印刷装置としてレーザビーム式の印刷を行うレーザプリンタを用いた場合を、第３の実施形態として説明する。具体的には、第３の実施形態における印刷システムは、図１のシステム構成図において、ＭＦＰ１０１の代りに、図１２に示すようなネットワーク対応のレーザプリンタ１４００を設置して、宅配便等の伝票の保管及び印刷を行うシステムである。本実施形態では、帳票レイアウト情報や帳票レイアウトソフトウェアはパソコン１０２のハードディスク２８に記憶されており、ＣＰＵ２１の制御の基で適宜ＲＡＭ２２に読み出される。図１２のレーザプリンタ１４００はレーザプリント部１４０１、塗布部１４０２、用紙排出部１４０４、制御部１４０６、記憶部１４０７、及びＬＡＮ  Ｉ／Ｆ部１４０８を備えている。尚、図１２の制御部１４０６、記憶部１４０７、及びＬＡＮ  Ｉ／Ｆ部１４０８は、図２に示した制御部２０６、記憶部２０７、及びＬＡＮ  Ｉ／Ｆ部２０８と同様の機能を有する。
【００６４】
図１３は、本実施形態での帳票の出力例（製本印刷の表紙部分のみ）を示す図である。図１３に示すように、取り寄せ依頼者の個人情報及び取り寄せを依頼された製品の写真画像及び署名欄を備え、この帳票の裏側にはノンカーボン用の液体を塗布する。このように本実施形態の印刷システムによれば専用のノンカーボン紙（プレプリント用紙）がなくても、個別の帳票レイアウトを作成して文字情報や画像情報を普通用紙に印刷した後に、所定の範囲をノンカーボン部分となるよう発色剤や顕色剤を塗布することができるので、ノンカーボン帳票を自由に作成して印刷することができる。
【００６５】
また、本実施形態の印刷システムでは、ノンカーボン塗布位置のレイアウト変更を自在に行うことができ、例えば契約書で署名する当事者の人数に応じて書名欄の位置や数を簡単に変更することができる。更に担当者別の個別印刷やシリアルナンバーの印刷も実現できる。これにより、従来柔軟なレイアウト変更を可能にするために必要だったドットインパクトプリンタが不要になる。更に、用紙レイアウトの変更に伴うプレプリント用紙の廃却による無駄がなくなる。複数のノンカーボン帳票を使用する場合でも、紙帳票を在庫として保管する必要がない。
【００６６】
尚、本発明の利用分野としては、例えば、法令用紙、商品引換証、不動産賃貸契約書、自賠責保険証書、各種申込書等のノンカーボン帳票の編集及び印刷に広く用いることができ、特にノンカーボンの記入箇所の異なる多数の種類の帳票を使用する場合や、帳票レイアウトの変更が頻繁に生じる場合に好適である。
【００６７】
また、上述したＭＰＦ１０１は、図４や図５などで示した処理機能を実現する為のプログラムを記憶部２０７より読み出してＣＰＵ２０９が実行することによりその機能を実現させるものであったが、この限りではなく、各処理の全部または一部の機能を専用のハードウェアにより実現してもよい。
また、上述した記憶部２０７は、光磁気ディスク装置、フラッシュメモリ等の不揮発性のメモリや、ＣＤ−ＲＯＭ等の読み出しのみが可能な記録媒体、揮発性のメモリ、あるいはこれらの組み合わせによるコンピュータ読み取り、書き込み可能な記録媒体より構成されてもよい。
【００６８】
また、上述したＭＰＦ１０１において、図４や図５に示す各種処理を行う機能を実現する為のプログラムをコンピュータ読み取り可能な記録媒体に記録して、この記録媒体に記録されたプログラムをコンピュータシステムに読み込ませ、実行することにより各処理を行っても良い。なお、ここでいう「コンピュータシステム」とは、ＯＳや周辺機器等のハードウェアを含むものとする。
【００６９】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発メモリ（ＲＡＭ）のように、一定時間プログラムを保持しているものも含むものとする。
【００７０】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現する為のものであっても良い。さらに、前述した機能をコンピュータシステムに既に記録されているプログラムとの組み合わせで実現できるもの、いわゆる差分ファイル（差分プログラム）であっても良い。
【００７１】
また、上記のプログラムを記録したコンピュータ読み取り可能な記録媒体等のプログラムプロダクトも本発明の実施形態として適用することができる。
以上、この発明の実施形態について図面を参照して詳述してきたが、具体的な構成はこの実施形態に限られるものではなく、この発明の要旨を逸脱しない範囲の設計等も含まれる。
【図面の簡単な説明】
【００７２】
【図１】本発明の第１の実施形態における印刷装置を含む印刷システムのシステム構成を示す図である。
【図２】図１に示したＭＦＰ１０１のハードウェア構成を示す概念図である。
【図３】図１に示したパソコン１０２のハードウェア構成の一例を示す図である。
【図４】図１に示した印刷システムにおいて、ノンカーボン部分を含む伝票の印刷レイアウトの編集・登録処理を示すフローチャートである。
【図５】図１に示した印刷システムにおいて、ノンカーボン部分を含む伝票の印刷処理を示すフローチャートである。
【図６】図２に示した塗布部２０２の詳細な構成例を示す側面図である。
【図７】図２に示した塗布部２０２の詳細な構成例を示す上面図である。
【図８】図６に示した裏面用塗布ヘッド６０１及び表面用塗布ヘッド６０２の構成例の側面図及び上面図を示す図である。
【図９】本実施形態においてパソコン１０２に表示される帳票レイアウト編集画面例を示す図である。
【図１０】本発明の第２の実施形態におけるインクジェット式の印刷装置のハードウェア構成を示す概念図である。
【図１１】図１０に示した印刷装置１２００の塗布ヘッドの側面図例及び上面図例を示す図である。
【図１２】本発明の第３の実施形態におけるレーザビーム式の印刷装置のハードウェア構成を示す概念図である。
【図１３】本実施形態での帳票の出力例（製本印刷の表紙部分のみ）を示す図である。
【図１４】本実施形態でのノンカーボン帳票の出力例を示す図である。
【図１５】図１に示した携帯端末１０３の詳細なハードウェア構成例を示す図である。
【符号の説明】
【００７３】
１００            ネットワーク
１０１            ＭＦＰ
１０２            パソコン
１０３            携帯端末
２０１            レーザプリント部
２０２            塗布部
２０４            製本・ステープル部
２０６            制御部
２０７            記憶部
２０８            ＬＡＮ  Ｉ／Ｆ部
２０９            ＣＰＵ
１２００          印刷装置
１２０１          インクジェットプリント部
１２０２          塗布部
１２０４          用紙排出部
１２０６          制御部
１２０７          記憶部
１２０８          ＬＡＮ  Ｉ／Ｆ部
１４００          レーザプリンタ
１４０１          レーザプリント部
１４０２          塗布部
１４０４          用紙排出部
１４０６          制御部
１４０７          記憶部
１４０８          ＬＡＮ  Ｉ／Ｆ部
【図１】
2006103214.tif 000003
【図２】
2006103214.tif 000004
【図３】
2006103214.tif 000005
【図４】
2006103214.tif 000006
【図５】
2006103214.tif 000007
【図６】
2006103214.tif 000008
【図７】
2006103214.tif 000009
【図８】
2006103214.tif 000010
【図９】
2006103214.tif 000011
【図１０】
2006103214.tif 000012
【図１１】
2006103214.tif 000013
【図１２】
2006103214.tif 000014
【図１３】
2006103214.tif 000015
【図１４】
2006103214.tif 000016
【図１５】
2006103214.tif 000017